(57)【要約】【課題】安定した特性インピーダンスが得られ、インピーダンスマッチングも容易となるようなコネクタを提供すること。【解決手段】ハウジング１１０に保持されるグランドプレート１２０と高速伝送用信号コンタクト１３２との最短距離を当該高速伝送用信号コンタクト１３２とグランドコンタクト１３１との最短距離よりも短く設定して、高速伝送用伝送路に対するグランドコンタクト１３１の影響を排除し、インピーダンスが主としてグランドプレート１２０と高速伝送用信号コンタクト１３２との関係で定まるようにした。【選択図】図８
2007141587.tif 000002
【特許請求の範囲】
【請求項１】
ハウジングと、
該ハウジングに保持された少なくとも１本の信号コンタクトと、
第１方向において前記信号コンタクトを挟むようにして前記ハウジングに保持された少なくとも一対のグランドコンタクトと、
前記第１方向に直交する第２方向において前記信号コンタクト及び前記グランドコンタクトと対向するようにして前記ハウジング内部に保持され、且つ、前記グランドコンタクトと電気的に接続されたグランドプレートと
備えたコネクタであって、
前記第１方向及び前記第２方向にて規定される所定平面内において、前記信号コンタクトと前記グランドプレートとの間の最短距離は、当該信号コンタクトと前記グランドコンタクトとの間の最短距離よりも短い
コネクタ。
【請求項２】
前記グランドプレートは、前記第２方向において前記一対のグランドコンタクトのそれぞれと対応する位置に複数個所のコの字状に切り込みを入れ且つ当該グランドコンタクトに向けて曲げ起こしてなる複数の舌片部を有しており、当該複数の舌片部を前記グランドコンタクトに当接させることで、前記グランドコンタクトに電気的に接続されている
請求項１記載のコネクタ。
【請求項３】
前記信号コンタクト及び前記一対のグランドコンタクトを含むコンタクト列を２列備えており、
一の前記コンタクト列に含まれる前記信号コンタクト及び前記一対のグランドコンタクトに対応する前記グランドプレートは、残りの一の前記コンタクト列に含まれる前記信号コンタクト及び前記一対のグランドコンタクトに対応する前記グランドプレートと別個に設けられている
請求項１又は２記載のコネクタ。
【請求項４】
前記一対のグランドコンタクトは、一対の前記信号コンタクトを前記第１方向において挟み込みようにして配置されており、
該一対の信号コンタクトは、ディファレンシャル伝送において差動対信号を伝送するためのものであり、前記一対のグランドコンタクト及び前記グランドプレートにより、当該コネクタに設けられた他の信号コンタクトから電気的にシールドされている
請求項１乃至３のいずれかに記載のコネクタ。
【請求項５】
前記第１方向及び前記第２方向に直交する第３方向に突出した凸状嵌合部を有するプラグコネクタと、該凸状嵌合部を前記第３方向に沿って受容する凹状嵌合部を有するレセプタクルコネクタとからなるコネクタ組立体であって、
前記プラグコネクタは、請求項１乃至４のいずれかに記載のコネクタにおいて、前記ハウジングが前記凸状嵌合部の概観を規定する形状を有するものであり、
前記レセプタクルコネクタは、請求項１乃至４のいずれかに記載のコネクタにおいて、前記ハウジングが前記凹状嵌合部の概観を規定する形状を有するものである
コネクタ組立体。
【請求項６】
前記プラグコネクタの前記信号コンタクト及び前記グランドコンタクト又は前記レセプタクルコネクタの前記信号コンタクト及び前記グランドコンタクトの一方は、前記第２方向に一部を突出するようにして、対応する前記プラグコネクタ又は前記レセプタクルコネクタの前記ハウジングに保持されており、
前記プラグコネクタの前記信号コンタクト及び前記グランドコンタクト又は前記レセプタクルコネクタの前記信号コンタクト及び前記グランドコンタクトの他方は、前記第２方向に一部を突出させた前記一方と前記第２方向において接触可能となるように、対応する前記プラグコネクタ又は前記レセプタクルコネクタの前記ハウジングに保持されており、
前記プラグコネクタの前記グランドプレートと前記レセプタクルコネクタの前記グランドプレートは、前記プラグコネクタと前記レセプタクルコネクタとの嵌合状態において、前記プラグコネクタの前記信号コンタクト及び前記グランドコンタクト並びに前記レセプタクルコネクタの前記信号コンタクト及び前記グランドコンタクトを前記第２方向において挟むようにして配置されており、
前記プラグコネクタの前記信号コンタクト及び前記レセプタクルコネクタの前記信号コンタクトは、前記所定平面内において、前記プラグコネクタの前記グランドプレート及び前記一対のグランドコンタクトと前記レセプタクルコネクタの前記グランドプレート及び前記一対のグランドコンタクトとにより、囲まれている
請求項５記載のコネクタ組立体。
【発明の詳細な説明】
【技術分野】
【０００１】
本発明は、シールド構造を有するコネクタ及びコネクタ組立体に関する。
【背景技術】
【０００２】
従来、２枚のプリント配線基板を相互に接続する手段として、プラグコネクタ及びレセプタクルコネクタからなるコネクタ組立体が知られている（例えば、特許文献１参照）。
【０００３】
特許文献１のコネクタ組立体は、プラグコネクタ及びレセプタクルコネクタのいずれか一方のシールド構造で十分なシールド効果を得るため、プラグコネクタのみにおいて一対の高速信号コンタクトを一対のグランドコンタクトで挟むような配列を採っているが、レセプタクルコネクタにおいては、プラグコネクタのグランドコンタクトと電気的に接続される高周波シールド部材でレセプタクルコネクタのハウジングの周囲を囲む構成を備えている。
【０００４】
【特許文献１】特開２００５−７１７６９
【発明の開示】
【発明が解決しようとする課題】
【０００５】
特許文献１に記載のコネクタ組立体において、信号コンタクトの特性インピーダンスは、概略、信号コンタクトとグランドコンタクトとの位置的関係により決定されるため、ばらつきが生じやすく、インピーダンスマッチングがとり難いという問題がある。
【０００６】
そこで、本発明は、安定した特性インピーダンスが得られ、インピーダンスマッチングも容易となるようなコネクタ及びそれを用いたコネクタ組立体を提供することを目的とする。
【課題を解決するための手段】
【０００７】
本発明は、第１のコネクタとして、
ハウジングと、
該ハウジングに保持された少なくとも１本の信号コンタクトと、
第１方向において前記信号コンタクトを挟むようにして前記ハウジングに保持された少なくとも一対のグランドコンタクトと、
前記第１方向に直交する第２方向において前記信号コンタクト及び前記グランドコンタクトと対向するようにして前記ハウジング内部に保持され、且つ、前記グランドコンタクトと電気的に接続されたグランドプレートと
備えたコネクタであって、
前記第１方向及び前記第２方向にて規定される所定平面内において、前記信号コンタクトと前記グランドプレートとの間の最短距離は、当該信号コンタクトと前記グランドコンタクトとの間の最短距離よりも短い
コネクタを提供する。
【０００８】
また、本発明は、第２のコネクタとして、前記第１のコネクタにおいて、
前記グランドプレートは、前記第２方向において前記一対のグランドコンタクトのそれぞれと対応する位置に複数個所のコの字状に切り込みを入れ且つ当該グランドコンタクトに向けて曲げ起こしてなる複数の舌片部を有しており、当該複数の舌片部を前記グランドコンタクトに当接させることで、前記グランドコンタクトに電気的に接続されている
コネクタを提供する。
【０００９】
また、本発明は、第３のコネクタとして、前記第１又は第２のコネクタにおいて、
前記信号コンタクト及び前記一対のグランドコンタクトを含むコンタクト列を２列備えており、
一の前記コンタクト列に含まれる前記信号コンタクト及び前記一対のグランドコンタクトに対応する前記グランドプレートは、残りの一の前記コンタクト列に含まれる前記信号コンタクト及び前記一対のグランドコンタクトに対応する前記グランドプレートと別個に設けられている
コネクタを提供する。
【００１０】
更に、本発明は、第４のコネクタとして、前記第１乃至第３のいずれかのコネクタにおいて、
前記一対のグランドコンタクトは、一対の前記信号コンタクトを前記第１方向において挟み込みようにして配置されており、
該一対の信号コンタクトは、ディファレンシャル伝送において差動対信号を伝送するためのものであり、前記一対のグランドコンタクト及び前記グランドプレートにより、当該コネクタに設けられた他の信号コンタクトから電気的にシールドされている
コネクタを提供する。
【００１１】
また、本発明は、第１のコネクタ組立体として、
前記第１方向及び前記第２方向に直交する第３方向に突出した凸状嵌合部を有するプラグコネクタと、該凸状嵌合部を前記第３方向に沿って受容する凹状嵌合部を有するレセプタクルコネクタとからなるコネクタ組立体であって、
前記プラグコネクタは、前記第１乃至第４のコネクタのいずれかであって、前記ハウジングが前記凸状嵌合部の概観を規定する形状を有するものであり、
前記レセプタクルコネクタは、前記第１乃至第４のコネクタのいずれかであって、前記ハウジングが前記凹状嵌合部の概観を規定する形状を有するものである
コネクタ組立体を提供する。
【００１２】
また、本発明は、第２のコネクタ組立体として、前記第１のコネクタ組立体において、
前記プラグコネクタの前記信号コンタクト及び前記グランドコンタクト又は前記レセプタクルコネクタの前記信号コンタクト及び前記グランドコンタクトの一方は、前記第２方向に一部を突出するようにして、対応する前記プラグコネクタ又は前記レセプタクルコネクタの前記ハウジングに保持されており、
前記プラグコネクタの前記信号コンタクト及び前記グランドコンタクト又は前記レセプタクルコネクタの前記信号コンタクト及び前記グランドコンタクトの他方は、前記第２方向に一部を突出させた前記一方と前記第２方向において接触可能となるように、対応する前記プラグコネクタ又は前記レセプタクルコネクタの前記ハウジングに保持されており、
前記プラグコネクタの前記グランドプレートと前記レセプタクルコネクタの前記グランドプレートは、前記プラグコネクタと前記レセプタクルコネクタとの嵌合状態において、前記プラグコネクタの前記信号コンタクト及び前記グランドコンタクト並びに前記レセプタクルコネクタの前記信号コンタクト及び前記グランドコンタクトを前記第２方向において挟むようにして配置されており、
前記プラグコネクタの前記信号コンタクト及び前記レセプタクルコネクタの前記信号コンタクトは、前記所定平面内において、前記プラグコネクタの前記グランドプレート及び前記一対のグランドコンタクトと前記レセプタクルコネクタの前記グランドプレート及び前記一対のグランドコンタクトとにより、囲まれている
コネクタ組立体を提供する。
【発明の効果】
【００１３】
本発明の第１のコネクタにおけるグランドプレートは、ハウジング周囲やハウジング外部ではなくハウジング内部に保持されており、且つ、信号コンタクトとグランドプレートとの間の最短距離を当該信号コンタクトとグランドコンタクトとの間の最短距離よりも短くなるように配置されている。そのため、本発明の第１のコネクタにおいて、信号コンタクトに関する特性インピーダンスは、主として信号コンタクトとグランドプレートとの位置的関係により定まることになり、安定した特性インピーダンスが得られ、インピーダンスマッチングも容易となる。
【００１４】
本発明の第２のコネクタにおいては、グランドプレートに設けられた複数の舌片部をグランドコンタクトに当接させることで、グランドプレートとグランドコンタクトとの電気的接続を図っているため、シールド機能が強化されている。
【００１５】
本発明の第３のコネクタにおいては、グランドプレートを挟んで位置するような信号コンタクトに関しては、当該信号コンタクト間でグランドプレートを共用するのではなく、信号コンタクト毎にグランドプレートを設けることにより、ハウジングの強度を保持しつつ、グランドプレートと対応する信号コンタクトとの距離を縮めることができる。
【００１６】
本発明の第４のコネクタにおいては、ディファレンシャル伝送に適した信号コンタクトを有するコネクタが得られる。
【００１７】
本発明の第１のコネクタ組立体においては、上記第１乃至第４のコネクタのいずれかの効果を享受できる。
【００１８】
特に、本発明の第２のコネクタ組立体において、プラグコネクタの信号コンタクト及びレセプタクルコネクタの信号コンタクトは、所定平面内において、プラグコネクタのグランドプレート及び一対のグランドコンタクトとレセプタクルコネクタのグランドプレート及び一対のグランドコンタクトとにより、囲まれている。そのため、高いシールド特性が実現され、クロストークの問題なども低減される。
【発明を実施するための最良の形態】
【００１９】
本発明の実施の形態によるコネクタ組立体は、図１に示されるように、凸状嵌合部１０１を有するプラグコネクタ１００と、凸状嵌合部１０１を受け入れる凹状嵌合部２０１を有するレセプタクルコネクタ２００とを備えている。
【００２０】
図１及び図８に示されるように、プラグコネクタ１００は、凸状嵌合部１０１の概観を規定する絶縁ハウジング１１０と、グランドプレート１２０と、グランドコンタクト１３１、高速伝送用信号コンタクト１３２及び低速伝送用信号コンタクト１３３からなる複数のコンタクト列とを備えている。なお、コンタクト列において隣接する一対の高速伝送用信号コンタクト１３２は、ディファレンシャル伝送において差動対信号を伝送するためのものであり、仮に高速伝送に対してもシングルエンデッド伝送を適用する場合には、一対の高速伝送用信号コンタクト１３２やそれに対応してペアで設けられている部材・部位を単一にすればよい。
【００２１】
図８に最もよく示されるように、絶縁ハウジング１１０のＺ方向下面には、２列のコンタクト収容部１１１〜１１３が形成されている。このうち、コンタクト収容部１１１は、グランドコンタクト１３１を収容するものであり、コンタクト収容部１１２は、高速伝送用信号コンタクト１３２を収容するものであり、コンタクト収容部１１３は、低速伝送用信号コンタクト１３３を収容するものである。
【００２２】
図１及び図８から理解されるように、コンタクト収容部１１１〜１１３は、絶縁ハウジング１１０の凸状嵌合部を構成する部位（以下、「凸状部位」という）の側面に形成された溝と、凸状部位の台座的な部位（以下「台座部位」という）を貫通する穴とからなるものであり、Ｚ方向にまっすぐに延びている。
【００２３】
図８において、Ｚ方向下側から見ると、各コンタクト収容部１１１〜１１３は、Ｙ方向外側に向かって突出した砲台モデル形状（凸状）を呈している。即ち、Ｙ方向において対応する２つのコンタクト収容部１１１〜１１３は、砲台モデル形状の概観が互いに背中合わせとなるように形成されている。
【００２４】
図１及び図８並びに図２及び図５から理解されるように、砲台モデル形状における大砲の先端部は、絶縁ハウジング１１０の凸状部位の側面にまで達しており、従ってコンタクト収容部１１１〜１１３は、絶縁ハウジング１１０の凸状部位のＹ方向外側からアクセス可能となっている。
【００２５】
各列のコンタクト収容部１１１〜１１３は、Ｚ方向下側から見ると明らかなように、Ｘ方向に規則正しく並んでいる。より具体的には、各列とも、Ｘ方向において、コンタクト収容部１１１、一対のコンタクト収容部１１２、コンタクト収容部１１１、８個のコンタクト収容部１１３、コンタクト収容部１１１、一対のコンタクト収容部１１２、コンタクト収容部１１１の順に並んでいる。Ｘ方向において、一対のコンタクト収容部１１２を挟むようにして形成されている２つのコンタクト収容部１１１は対をなしており、その一対のコンタクト収容部１１１及び一対のコンタクト収容部１１２のＹ方向内側にはグランドプレート１２０を収容するためのグランドプレート収容部１１７が形成されている。
【００２６】
図１、図２、図５及び図８から明らかなように、グランドプレート収容部１１７は、スリット形状を有し、絶縁ハウジング１１０をＺ方向において貫通している。一対のコンタクト収容部１１１とそれに挟まれる一対のコンタクト収容部１１２を一組のコンタクト収容部と考えると、図８から理解されるように、本実施の形態における絶縁ハウジング１１０には、４組のコンタクト収容部が形成されており、それら各組に対応するようにして別個のグランドプレート収容部１１７が設けられている。即ち、本実施の形態における絶縁ハウジング１１０には４つのグランドプレート収容部１１７が互いに別個独立して設けられている。
【００２７】
図５及び図８から理解されるように、各グランドプレート収容部１１７と、それに対応する一対のコンタクト収容部１１１とは、それぞれ、連通部１１９によりＹ方向において連通している。
【００２８】
本実施の形態における絶縁ハウジング１１０において、グランドプレート収容部１１７とコンタクト収容部１１２との間の厚みは、コンタクト収容部１１２とそれに隣接するコンタクト収容部１１１との間の厚みよりも薄い。
【００２９】
図８及び図９に示されるように、グランドプレート１２０は、概略、平板形状を有しているが、その表面には、コの字状に切り込みを入れて曲げ起こしてなる舌片部１２２が複数個形成されており、また、グランドプレート１２０の四隅に近いところにはそれぞれＸ方向外側に突出した圧入部１２４が形成されている。本実施の形態においては、各列５個の舌片部１２２からなる２列の舌片部１２２がＸ方向に間隔を置いて設けられている。舌片部１２２の列の間隔は、対応する一対のコンタクト収容部１１１のＸ方向における間隔、より具体的には、対応する連通部１１９間の間隔に対応している。グランドプレート１２０は、舌片部１２２をＹ方向外側に向けるようにして、グランドプレート収容部１１７にＺ方向に沿って挿入される。この際、舌片部１２２は、連通部１１９内を移動する。なお、グランドプレート１２０は、一旦グランドプレート収容部１１７挿入されると、圧入部１２４の働きにより、自然に抜け落ちることはない。
【００３０】
図８から理解されるように、本実施の形態におけるグランドコンタクト１３１、高速伝送用信号コンタクト１３２及び低速伝送用信号コンタクト１３３は、互いに同一の部材・同一の形状からなり、概略、Ｚ方向に長辺部をＹ方向に短辺部を有しＹＺ平面においてＬ字状を呈するような形状を有している。
【００３１】
本実施の形態におけるコンタクト列は２列あり、それぞれＸ方向に、グランドコンタクト１３１、一対の高速伝送用信号コンタクト１３２、グランドコンタクト１３１、８本の低速伝送用信号コンタクト１３３、グランドコンタクト１３１、一対の高速伝送用信号コンタクト１３２、グランドコンタクト１３１の順に配列されている。また、各列のグランドコンタクト１３１、高速伝送用信号コンタクト１３２及び低速伝送用信号コンタクト１３３は、他の列のグランドコンタクト１３１、高速伝送用信号コンタクト１３２及び低速伝送用信号コンタクト１３３とＹ方向において背中合わせとなるように配置されている。
【００３２】
図９に示されるように、グランドコンタクト１３１は、先端部１３１ａ、圧入部１３１ｂ、Ｚ方向に真っ直ぐに延びる主部１３１ｃ、圧入部１３１ｄ、圧入部１３１ｄからＹ方向に曲げられた屈曲部１３１ｅ、Ｙ方向に延びるソルダー部１３１ｆを備えている。先端部１３１ａから圧入部１３１ｄまでは、コンタクト収容部１１１の砲台モデル形状の台部（凸状の後部：砲台とは逆の部分）に相当する部分に、絶縁ハウジング１１０のＺ方向下側から挿入される。グランドコンタクト１３１は、一旦、コンタクト収容部１１１に収容されると、先端部１３１ａに近いほうに設けられた圧入部１３１ｂ、と絶縁ハウジング１１０の下面近傍に位置する圧入部１３１ｄの働きにより、自然に抜け落ちることはない。前述のように、高速伝送用信号コンタクト１３２と低速伝送用信号コンタクト１３３とは、グランドコンタクト１３１と同一形状を有しており、また、コンタクト収容部１１２，１１３もまたコンタクト収容部１１１と同一形状を有しているので、高速伝送用信号コンタクト１３２と低速伝送用信号コンタクト１３３も絶縁ハウジング１１０に適切に保持される。
【００３３】
加えて、図５及び図９から理解されるように、グランドコンタクト１３１は、コンタクト収容部１１１へ保持された状態において、グランドプレート１２０の舌片部１２２と電気的に接触している。
【００３４】
ここで、上述したように、本実施の形態における絶縁ハウジング１１０においては、グランドプレート収容部１１７とコンタクト収容部１１２との間の厚みが、コンタクト収容部１１２とそれに隣接するコンタクト収容部１１１との間の厚みよりも薄く設定されており、従って、高速伝送用信号コンタクト１３２とグランドプレート１２０との間の最短距離は、高速伝送用信号コンタクト１３２とグランドコンタクト１３１との間の最短距離よりも短くなる。そのため、高速伝送に関する伝送路の特性インピーダンスは、高速伝送用信号コンタクト１３２とグランドプレート１２０並びにそれらに挟まれた絶縁ハウジング１１０により構成されるマイクロストリップ線路によって決まり、グランドコンタクト１３１の位置が特性インピーダンスを決定する主要因とはならなくなる。そのため、安定した特性インピーダンスを得ることができる。
【００３５】
図１及び図１０に示されるように、レセプタクルコネクタ２００は、凹状嵌合部２０１の概観を規定する絶縁ハウジング２１０と、グランドプレート２２０と、グランドコンタクト２３１、高速伝送用信号コンタクト２３２及び低速伝送用信号コンタクト２３３からなる複数のコンタクト列とを備えている。
【００３６】
図１０に最もよく示されるように、絶縁ハウジング２１０のＺ方向上面には、２列のコンタクト収容部２１１〜２１３が形成されている。このうち、コンタクト収容部２１１は、グランドコンタクト２３１を収容するものであり、コンタクト収容部２１２は、高速伝送用信号コンタクト２３２を収容するものであり、コンタクト収容部２１３は、低速伝送用信号コンタクト２３３を収容するものである。
【００３７】
図１及び図１０から理解されるように、コンタクト収容部２１１〜２１３は、絶縁ハウジング２１０のうち、逆Ｕ字又は下側に開口したコの字状の形状において、上面２１０ａからＺ方向に延びると共にＸ方向に延びる２つの部位、即ち、Ｙ方向において対向する２つの部位に沿って形成されている。
【００３８】
図１０において、Ｚ方向上下側から見ると、各コンタクト収容部２１１〜２１３は、Ｙ方向内側に向かって突出した長めの大砲部を有する砲台モデル形状（凸状）を呈している。即ち、Ｙ方向において対応する２つのコンタクト収容部２１１〜２１３は、砲台モデル形状における大砲部を対向させるようにして形成されている。
【００３９】
図１及び図１０並びに図３及び図６から理解されるように、砲台モデル形状における大砲の先端部は、絶縁ハウジング２１０の内側のスペース２１０ｂと連通している、即ち、絶縁ハウジング２１０の内側面まで達している。従ってコンタクト収容部２１１〜２１３は、スペース２１０ｂ、即ち、絶縁ハウジング２１０のＹ方向内側からアクセス可能となっている。
【００４０】
各列のコンタクト収容部２１１〜２１３のＸ方向における配列は、プラグコネクタ１００におけるコンタクト収容部１１１〜１１３と同様である。一対のコンタクト収容部２１１及び一対のコンタクト収容部２１２のＹ方向外側にはグランドプレート２２０を収容するためのグランドプレート収容部２１７が形成されている。
【００４１】
図１、図３、図６及び図１０から明らかなように、グランドプレート収容部２１７は、絶縁ハウジング２１０の上面２１０ａからＺ方向に向かって延びるスリット形状を有しているが、本実施の形態においては、絶縁ハウジング２１０を貫通していない。一対のコンタクト収容部２１１とそれに挟まれる一対のコンタクト収容部２１２を一組のコンタクト収容部と考えると、図１０から理解されるように、本実施の形態における絶縁ハウジング２１０には、４組のコンタクト収容部が形成されており、それら各組に対応するようにして別個のグランドプレート収容部２１７が設けられている。
【００４２】
図６及び図１０から理解されるように、各グランドプレート収容部２１７と、それに対応する一対のコンタクト収容部２１１とは、それぞれ、連通部２１９によりＹ方向において連通している。
【００４３】
本実施の形態における絶縁ハウジング２１０においては、絶縁ハウジング１１０と同様に、グランドプレート収容部２１７とコンタクト収容部２１２との間の厚みは、コンタクト収容部２１２とそれに隣接するコンタクト収容部２１１との間の厚みよりも薄い。
【００４４】
図１０及び図１１に示されるように、グランドプレート２２０は、概略、グランドプレート１２０と似たような形状を有するものであり、概略、平面形状を有することに加え、複数の舌片部２２２と四隅近傍に設けられた圧入部２２４を有するものであるが、グランドプレート１２０と比較すると、Ｚ方向における長さが短く、そのため、グランドプレート２２０においては一列を構成する舌片部２２２の個数は３つであり、計６個の舌片部２２２のみが形成されている。舌片部２２２の列の間隔は、連通部２１９間の間隔に対応している。グランドプレート２２０は、舌片部２２２をＹ方向内側に向けるようにして、グランドプレート収容部２１７にＺ方向に沿って挿入される。この際、舌片部２２２は、連通部２１９内を移動する。なお、グランドプレート２２０は、一旦グランドプレート収容部２１７挿入されると、圧入部２２４の働きにより、自然に抜け落ちることはない。
【００４５】
図１０から理解されるように、本実施の形態におけるグランドコンタクト２３１、高速伝送用信号コンタクト２３２及び低速伝送用信号コンタクト２３３は、互いに同一の部材・同一の形状を有している。グランドコンタクト２３１、高速伝送用信号コンタクト２３２及び低速伝送用信号コンタクト２３３の配列は、グランドコンタクト１３１、高速伝送用信号コンタクト１３２及び低速伝送用信号コンタクト１３３の配列と同じである。また、各列のグランドコンタクト２３１、高速伝送用信号コンタクト２３２及び低速伝送用信号コンタクト２３３は、他の列のグランドコンタクト２３１、高速伝送用信号コンタクト２３２及び低速伝送用信号コンタクト２３３とＹ方向において背中合わせとなるように配置されている。
【００４６】
図１１に示されるように、グランドコンタクト２３１は、Ｙ方向に延びるソルダー部２３１ａ、ソルダー部２３１ａからＺ方向に曲げられた屈曲部２３１ｂ、圧入部２３１ｃ、Ｚ方向に真っ直ぐに延びる主部２３１ｄ、圧入部２３１ｅ、折り返すように曲げられ弾性力を付与されたバネ部２３１ｆ及びグランドコンタクト１３１に接触する接触部２３１ｇを備えている。圧入部２３１ｃから圧入部２３１ｅまでは、コンタクト収容部２１１の砲台モデル形状の台部（凸状の後部：砲台とは逆の部分）に相当する部分に対して、バネ部２３１ｆ及び接触部２３１ｇは、コンタクト収容部２１１の砲台に相当する部分に対して、絶縁ハウジング２１０のＺ方向上側から挿入される。
【００４７】
図１、図３及び図６から明らかなように、グランドコンタクト２３１の接触部２３１ｇは、凹状嵌合部２０１のＹ方向内側に突出している。なお、グランドコンタクト２３１は、一旦、コンタクト収容部２１１に収容されると、二つの圧入部２３１ｃ及び２３１ｅの働きにより、自然に抜け落ちることはない。前述のように、高速伝送用信号コンタクト２３２と低速伝送用信号コンタクト２３３とは、グランドコンタクト２３１と同一形状を有しており、また、コンタクト収容部２１２，２１３もまたコンタクト収容部２１１と同一形状を有しているので、高速伝送用信号コンタクト２３２と低速伝送用信号コンタクト２３３も絶縁ハウジング２１０に適切に保持される。
【００４８】
加えて、図６、図１０及び図１１から理解されるように、グランドコンタクト２３１は、コンタクト収容部１１１へ保持された状態において、グランドプレート２２０の舌片部２２２と電気的に接触している。
【００４９】
ここで、上述したように、本実施の形態における絶縁ハウジング２１０においては、グランドプレート収容部２１７とコンタクト収容部２１２との間の厚みが、コンタクト収容部２１２とそれに隣接するコンタクト収容部２１１との間の厚みよりも薄く設定されており、従って、高速伝送用信号コンタクト２３２とグランドプレート２２０との間の最短距離は、高速伝送用信号コンタクト２３２とグランドコンタクト２３１との間の最短距離よりも短くなる。そのため、高速伝送に関する伝送路の特性インピーダンスは、高速伝送用信号コンタクト２３２とグランドプレート２２０並びにそれらに挟まれた絶縁ハウジング２１０により構成されるマイクロストリップ線路によって決まり、グランドコンタクト２３１の位置が特性インピーダンスを決定する主要因とはならなくなる。そのため、安定した特性インピーダンスを得ることができる。
【００５０】
このような構成を備えるプラグコネクタ１００及びレセプタクルコネクタ２００の嵌合時には、図１、図４及び図７から理解されるように、凹状嵌合部２０１のＹ方向内側に突出したグランドコンタクト２３１の接触部２３１ｇ、高速伝送用信号コンタクト２３２の接触部及び低速伝送用信号コンタクト２３３の接触部が、グランドコンタクト１３１の主部１３１ｃ、高速伝送用信号コンタクト１３２の主部及び低速伝送用信号コンタクト１３３の主部上を摺動し、両コネクタ１００及び２００の接続が図られる。
【００５１】
この嵌合状態において、プラグコネクタ１００のグランドプレート１２０とレセプタクルコネクタ２００のグランドプレート２２０は、プラグコネクタ１００のグランドコンタクト１３１及び高速伝送用信号コンタクト１３２とレセプタクルコネクタ２００のグランドコンタクト２３１及び高速伝送用信号コンタクト２３２をＹ方向において挟むように配置されている。そのため、互いに接続された一対の高速伝送用信号コンタクト１３２と一対の高速伝送用信号コンタクト２３２とは、ＸＹ平面内において、グランドプレート１２０、一対のグランドコンタクト１３１、一対のグランドコンタクト２３１及びグランドプレート２２０により囲まれた状態となり、高いシールド効果が得られる。
【図面の簡単な説明】
【００５２】
【図１】本発明の実施の形態によるコネクタ組立体であってプラグコネクタとレセプタクルコネクタとが離脱状態にあるコネクタ組立体を示す分解斜視図である。
【図２】図１に示されるプラグコネクタのＩＩ−ＩＩ線に沿った断面図である。
【図３】図１に示されるレセプタクルコネクタのＩＩＩ−ＩＩＩ線に沿った断面図である。
【図４】図２に示されるプラグコネクタと図３に示されるレセプタクルコネクタとを嵌合した状態を示す断面図である。
【図５】図１に示されるプラグコネクタのＶ−Ｖ線に沿った断面図である。
【図６】図１に示されるレセプタクルコネクタのＶＩ−ＶＩ線に沿った断面図である。
【図７】図５に示されるプラグコネクタと図６に示されるレセプタクルコネクタとを嵌合した状態を示す断面図である。
【図８】図１に示されるプラグコネクタを下斜め方向からみた場合における分解斜視図である。
【図９】図８に示されるグランドプレート、高速伝送用信号コンタクト及びグランドコンタクトの関係を示す図である。
【図１０】図１に示されるレセプタクルコネクタを上斜め方向からみた場合における分解斜視図である。
【図１１】図１０に示されるグランドプレート、高速伝送用信号コンタクト及びグランドコンタクトの関係を示す図である。
【符号の説明】
【００５３】
１００        プラグコネクタ
１０１        凸状嵌合部
１１０        絶縁ハウジング
１１１        コンタクト収容部
１１２        コンタクト収容部
１１３        コンタクト収容部
１１７        グランドプレート収容部
１１９        連通部
１２０        グランドプレート
１２２        舌片部
１２４        圧入部
１３１        グランドコンタクト
１３１ａ      先端部
１３１ｂ      圧入部
１３１ｃ      主部
１３１ｄ      圧入部
１３１ｅ      屈曲部
１３１ｆ      ソルダー部
１３２        高速伝送用信号コンタクト
１３３        低速伝送用信号コンタクト
２００        レセプタクルコネクタ
２０１        凹状嵌合部
２１０        絶縁ハウジング
２１１        コンタクト収容部
２１２        コンタクト収容部
２１３        コンタクト収容部
２１７        グランドプレート収容部
２１９        連通部
２２０        グランドプレート
２２２        舌片部
２２４        圧入部
２３１        グランドコンタクト
２３１ａ      ソルダー部
２３１ｂ      屈曲部
２３１ｃ      圧入部
２３１ｄ      主部
２３１ｅ      圧入部
２３１ｆ      バネ部
２３１ｇ      接触部
２３２        高速伝送用信号コンタクト
２３３        低速伝送用信号コンタクト
【図１】
2007141587.tif 000003
【図２】
2007141587.tif 000004
【図３】
2007141587.tif 000005
【図４】
2007141587.tif 000006
【図５】
2007141587.tif 000007
【図６】
2007141587.tif 000008
【図７】
2007141587.tif 000009
【図８】
2007141587.tif 000010
【図９】
2007141587.tif 000011
【図１０】
2007141587.tif 000012
【図１１】
2007141587.tif 000013